【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群から成り、広角端から望遠端へのズーミングに際して、前記第１レンズ群と前記第２レンズ群の間隔が増大し、前記第２レンズ群と前記第３レンズ群の間隔が減少するように、前記第２レンズ群、前記第３レンズ群、前記第５レンズ群が移動し、ズーミングに際して前記第１レンズ群、前記第４レンズ群は不動であり、
広角端から望遠端へのズーミングにおける前記第２レンズ群の移動量をＭ２、広角端から望遠端へのズーミングにおける前記第３レンズ群の移動量をＭ３とするとき、
０．２＜｜Ｍ２／Ｍ３｜＜５．０
なる条件式を満足することを特徴とするズームレンズ。
【請求項２】
物体側より像側へ順に、正の屈折力の第１レンズ群、負の屈折力の第２レンズ群、正の屈折力の第３レンズ群、負の屈折力の第４レンズ群、正の屈折力の第５レンズ群から成り、広角端から望遠端へのズーミングに際して、前記第１レンズ群と前記第２レンズ群の間隔が増大し、前記第２レンズ群と前記第３レンズ群の間隔が減少するように、前記第２レンズ群、前記第３レンズ群、前記第５レンズ群が移動し、ズーミングに際して前記第１レンズ群、前記第４レンズ群は不動であり、
広角端から望遠端へのズーミングにおける前記第３レンズ群の移動量をＭ３、広角端における全系の焦点距離をｆｗとするとき、
０．６＜Ｍ３／ｆｗ＜１０．０
なる条件式を満足することを特徴とするズームレンズ。
【請求項３】
前記第１レンズ群の焦点距離をｆ１、広角端における全系の焦点距離をｆｗとするとき、
５．０＜ｆ１／ｆｗ＜１６．０
なる条件式を満足することを特徴とする請求項１又は２に記載のズームレンズ。
【請求項４】
前記第２レンズ群の焦点距離をｆ２、広角端における全系の焦点距離をｆｗとするとき、
１．０＜｜ｆ２／ｆｗ｜＜４．０
なる条件式を満足することを特徴とする請求項１乃至３のいずれか一項に記載のズームレンズ。
【請求項５】
前記第２レンズ群の広角端と望遠端における横倍率を各々β２ｗ、β２ｔ、前記第３レンズ群の広角端と望遠端における横倍率を各々β３ｗ、β３ｔとするとき、
０．１＜（β２ｔ／β２ｗ）／（β３ｔ／β３ｗ）＜２．５
なる条件式を満足することを特徴とする請求項１乃至４のいずれか一項に記載のズームレンズ。
【請求項６】
前記第４レンズ群は正レンズと負レンズを接合した接合レンズよりなり、前記第４レンズ群に含まれる正レンズの焦点距離をｆ４ｐ、前記第４レンズ群に含まれる負レンズの焦点距離をｆ４ｎとするとき、
−１０．０＜ｆ４ｐ／ｆ４ｎ＜−１．０
なる条件式を満足することを特徴とする請求項１乃至５のいずれか一項に記載のズームレンズ。
【請求項７】
前記第４レンズ群の焦点距離をｆ４、望遠端における全系の焦点距離をｆｔとするとき、
−１０．０＜ｆ４／ｆｔ＜−０．１
なる条件式を満足することを特徴とする請求項１乃至６のいずれか一項に記載のズームレンズ。
【請求項８】
前記第３レンズ群の焦点距離をｆ３、前記ズームレンズのズーム比をＺとするとき、
０．０＜（Ｍ３／ｆ３）／Ｚ＜０．５
なる条件式を満足することを特徴とする請求項１乃至７のいずれか一項に記載のズームレンズ。
【請求項９】
前記第２レンズ群の広角端における横倍率をβ２ｗとするとき、
−０．８＜β２ｗ＜−０．１
なる条件式を満足することを特徴とする請求項１乃至８のいずれか一項に記載のズームレンズ。
【請求項１０】
前記第１レンズ群と前記第３レンズ群の焦点距離を各々ｆ１、ｆ３とするとき、
１．０＜ｆ１／ｆ３＜６．０
なる条件式を満足することを特徴とする請求項１乃至９のいずれか一項に記載のズームレンズ。
【請求項１１】
広角端から望遠端へのズーミングにおける前記第２レンズ群の移動量をＭ２、前記第２レンズ群の焦点距離をｆ２とするとき、
−８．０＜｜Ｍ２｜／ｆ２＜−１．０
なる条件式を満足することを特徴とする請求項１乃至１０のいずれか一項に記載のズームレンズ。
【請求項１２】
前記第２レンズ群と前記第３レンズ群の間に開口絞りを有し、該開口絞りは、広角端から望遠端へのズーミングに際して、像側に移動することを特徴とする請求項１乃至１１のいずれか一項に記載のズームレンズ。 
【請求項１３】
前記第３レンズ群は、広角端から望遠端へのズーミングに際して、物体側に移動することを特徴とする請求項１乃至１２のいずれか一項に記載のズームレンズ。
【請求項１４】
前記第２レンズ群は、物体側から像側へ順に、負レンズ、負レンズ、負レンズ、正レンズからなることを特徴とする請求項１乃至１３のいずれか一項に記載のズームレンズ。
【請求項１５】
前記第３レンズ群は、物体側から像側へ順に、正レンズ、負レンズ、正レンズからなることを特徴とする請求項１乃至１４のいずれか一項に記載のズームレンズ。
【請求項１６】
請求項１乃至１５のいずれか一項に記載のズームレンズと、該ズームレンズによって形成された像を受光する撮像素子を有することを特徴とする撮像装置。
【請求項１７】
前記撮像素子の有効対角線長を２Ｙ’、前記ズームレンズの広角端における全系の焦点距離をｆｗとするとき、
０．３＜Ｙ’／ｆｗ＜１．０
なる条件式を満足することを特徴とする請求項１６に記載の撮像装置。
【手続補正２】
【補正対象書類名】明細書
【補正対象項目名】００１１
【補正方法】変更
【補正の内容】
【００１１】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群から成り、広角端から望遠端へのズーミングに際して、前記第１レンズ群と前記第２レンズ群の間隔が増大し、前記第２レンズ群と前記第３レンズ群の間隔が減少するように、前記第２レンズ群、前記第３レンズ群、前記第５レンズ群が移動し、ズーミングに際して前記第１レンズ群、前記第４レンズ群は不動であり、
広角端から望遠端へのズーミングにおける前記第２レンズ群の移動量をＭ２、広角端から望遠端へのズーミングにおける前記第３レンズ群の移動量をＭ３とするとき、
０．２＜｜Ｍ２／Ｍ３｜＜５．０
なる条件式を満足することを特徴としている。
【手続補正３】
【補正対象書類名】明細書
【補正対象項目名】００１２
【補正方法】変更
【補正の内容】
【００１２】
この他、物体側より像側へ順に、正の屈折力の第１レンズ群、負の屈折力の第２レンズ群、正の屈折力の第３レンズ群、負の屈折力の第４レンズ群、正の屈折力の第５レンズ群から成り、広角端から望遠端へのズーミングに際して、前記第１レンズ群と前記第２レンズ群の間隔が増大し、前記第２レンズ群と前記第３レンズ群の間隔が減少するように、前記第２レンズ群、前記第３レンズ群、前記第５レンズ群が移動し、ズーミングに際して前記第１レンズ群、前記第４レンズ群は不動であり、
広角端から望遠端へのズーミングにおける前記第３レンズ群の移動量をＭ３、広角端における全系の焦点距離をｆｗとするとき、
０．６＜Ｍ３／ｆｗ＜１０．０
なる条件式を満足することを特徴としている。
【手続補正４】
【補正対象書類名】明細書
【補正対象項目名】００１５
【補正方法】変更
【補正の内容】
【００１５】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群から成っている。第１レンズ群の物体側又は第５レンズ群の像側の少なくとも一方に屈折力のあるレンズ群が配置されている場合もある。
【手続補正５】
【補正対象書類名】明細書
【補正対象項目名】００４０
【補正方法】変更
【補正の内容】
【００４０】
第１レンズ群Ｌ１、第２レンズ群Ｌ２、第３レンズ群Ｌ３、第４レンズ群Ｌ４の焦点距離を各々ｆ１、ｆ２、ｆ３、ｆ４とする。望遠端における全系の焦点距離をｆｔとする。第４レンズ群Ｌ４は正レンズと負レンズを接合した接合レンズよりなり、第４レンズ群Ｌ４に含まれる正レンズの焦点距離をｆ４ｐ、第４レンズ群Ｌ４に含まれる負レンズの焦点距離をｆ４ｎとする。
【手続補正６】
【補正対象書類名】明細書
【補正対象項目名】００７７
【補正方法】変更
【補正の内容】
【００７７】
数値実施例１
面データ
面番号       r        d      nd         νd
1         51.977    1.30   1.84666    23.8           
2         26.388    5.64   1.51633    64.1           
3        574.024    0.15                             
4         27.403    3.42   1.80400    46.6           
5        107.773  (可変)                             
6         76.775    0.90   1.88300    40.8           
7          7.936    3.07                             
8        185.260    0.90   1.83481    42.7           
9         21.631    1.92                             
10        -19.663    0.80   1.83481    42.7           
11       -347.805    0.15                             
12         28.445    2.36   1.94595    18.0           
13        -65.380  (可変)                             
14(絞り)    ∞     (可変)                             
15*        12.632    4.02   1.58313    59.4           
16*       -45.714    3.18                             
17         27.376    0.80   1.84666    23.8           
18          9.481    0.68                             
19         10.918    3.74   1.48749    70.2           
20        -16.949  (可変)                             
21        -22.202    1.20   1.84666    23.8           
22        -10.504    0.70   1.58313    59.4           
23*        17.241  (可変)                             
24         18.707    3.25   1.71300    53.9           
25        -11.247    0.80   1.94595    18.0           
26        -24.849  (可変)                             
27          ∞       1.94   1.51633    64.1           
28          ∞       1.99                             
像面        ∞   
非球面データ
第15面
K =-1.81913e-002  A 4=-2.86139e-005  A 6= 3.12186e-007  A 8= 1.15908e-009  
第16面
K = 0.00000e+000  A 4= 9.85637e-005  A 6= 3.76346e-007  
第23面
K = 0.00000e+000  A 4= 5.53659e-005  A 6=-1.69511e-007  
各種データ
ズーム比      9.57 
広角     中間     望遠
焦点距離       5.01    25.30    47.93  
Fナンバー      1.85     2.62     2.88  
半画角（度）  34.72     7.82     4.14  
像高           3.47     3.47     3.47  
レンズ全長    88.36 88.36 88.36 
BF             8.19     5.15 5.94
d 5            1.02    16.10    21.40  
d13           19.18     6.40     2.68  
d14           14.49     4.77     2.35  
d20            2.30     9.72    10.57  
d23            4.20     7.24     6.44  
d26            4.92     1.89     2.69 
ズームレンズ群データ
群  始面    焦点距離  
1    1      40.35  
2    6      -8.07  
3   14       ∞    
4   15      15.62  
5   21     -21.15  
6   24      18.55  
7   27       ∞    
【手続補正７】
【補正対象書類名】明細書
【補正対象項目名】００７８
【補正方法】変更
【補正の内容】
【００７８】
数値実施例２
面番号       r        d      nd         νd
1         51.363    1.30   1.84666    23.8           
2         26.876    5.48   1.51633    64.1           
3        373.456    0.15                             
4         28.350    3.36   1.80400    46.6           
5        113.030  (可変)                             
6         75.075    0.90   1.88300    40.8           
7          8.266    3.32                             
8       -355.074    0.90   1.83481    42.7           
9         23.046    1.99                             
10        -20.217    0.80   1.83481    42.7           
11        -80.125    0.15                             
12         30.788    2.37   1.94595    18.0           
13        -72.122  (可変)                             
14(絞り)    ∞     (可変)                             
15*        11.494    3.76   1.58313    59.4           
16*       -52.395    2.63                             
17         31.034    0.80   1.84666    23.8           
18          9.854    0.43                             
19         12.493    3.37   1.48749    70.2           
20        -19.215  (可変)                             
21        -22.257    1.19   1.84666    23.8           
22        -10.479    0.70   1.58313    59.4           
23*        24.967  (可変)                             
24         20.603    3.09   1.71300    53.9           
25        -11.529    0.80   1.94595    18.0           
26        -26.770  (可変)                             
27          ∞       1.94   1.51633    64.1           
28          ∞       1.98                             
像面        ∞   
非球面データ
第15面
K =-7.03409e-002  A 4=-4.17196e-005  A 6= 1.25612e-007  A 8= 1.28813e-010  
第16面
K = 0.00000e+000  A 4= 8.50250e-005  A 6= 1.35345e-007  
第23面
K = 0.00000e+000  A 4= 5.64705e-005  A 6=-3.00301e-007  
各種データ
ズーム比      9.53 
広角     中間     望遠
焦点距離       5.01    24.22    47.75  
Fナンバー      1.85     2.62     2.88  
半画角（度）  34.72     8.16     4.16  
像高           3.47     3.47     3.47  
レンズ全長    88.64 88.64 88.64 
BF             8.36     5.11     5.76
d 5            1.00    15.99    21.26  
d13           19.09     6.26     2.54  
d14           16.20     6.25     2.51  
d20            2.30    10.08    12.26  
d23            4.20     7.46     6.82  
d26            5.11     1.85 2.50 
ズームレンズ群データ
群  始面    焦点距離  
1    1      41.57  
2    6      -8.57  
3   14       ∞    
4   15      16.11  
5   21     -27.53  
6   24      20.59  
7   27       ∞  
【手続補正８】
【補正対象書類名】明細書
【補正対象項目名】００７９
【補正方法】変更
【補正の内容】
【００７９】
数値実施例３
面データ
面番号       r        d      nd         νd
1         48.994    1.30   1.84666    23.8           
2         25.651    6.99   1.51633    64.1           
3        198.766    0.15                             
4         25.180    3.75   1.80400    46.6           
5         79.348  (可変)                             
6         43.437    0.90   1.88300    40.8           
7          6.990    3.91                             
8        -44.516    0.90   1.83481    42.7           
9         50.833    1.31                             
10        -25.066    0.80   1.83481    42.7           
11         46.783    0.15                             
12         23.694    2.41   1.94595    18.0           
13        -76.150  (可変)                             
14(絞り)    ∞     (可変)                             
15*        13.921    3.73   1.58313    59.4           
16*       -25.124    2.68                             
17         41.073    0.80   1.84666    23.8           
18         11.433    0.19                             
19         12.399    3.44   1.48749    70.2           
20        -13.946  (可変)                             
21        -18.249    1.13   1.84666    23.8           
22         -9.454    0.70   1.58313    59.4           
23*        10.505  (可変)                             
24         15.363    3.80   1.71300    53.9           
25         -8.848    0.80   1.94595    18.0           
26        -17.508  (可変)                             
27          ∞       1.94   1.51633    64.1           
28          ∞       1.97                             
像面        ∞   
非球面データ
第15面
K =-4.14044e-001  A 4=-3.68984e-005  A 6= 5.18126e-007  A 8=-1.71153e-010  
第16面
K = 0.00000e+000  A 4= 1.23695e-004  A 6= 3.46411e-007  
第23面
K = 0.00000e+000  A 4= 4.29614e-005  A 6=-1.03306e-006  
各種データ
ズーム比      9.58 
広角     中間     望遠
焦点距離       4.20    16.34    40.22  
Fナンバー      1.85     2.62     2.88    
半画角（度）  39.58    11.99     4.93  
像高           3.47     3.47     3.47  
レンズ全長    89.87 89.87 89.87 
BF             7.89     5.22 5.20
d 5            1.00    14.64    19.43  
d13           17.23     5.79     2.50  
d14           16.79     9.64     2.50  
d20            2.30     7.25    12.89  
d23            4.82     7.49     7.51  
d26            4.64     1.95     1.94  
ズームレンズ群データ
群  始面    焦点距離  
1    1      42.00  
2    6      -6.88  
3   14       ∞    
4   15      13.63  
5   21     -13.29  
6   24      14.13  
7   27       ∞    
【手続補正９】
【補正対象書類名】明細書
【補正対象項目名】００８０
【補正方法】変更
【補正の内容】
【００８０】
数値実施例４
面データ
面番号       r        d      nd         νd
1         54.943    1.30   1.84666    23.8           
2         28.403    6.56   1.51633    64.1           
3       5458.963    0.15                             
4         28.888    6.63   1.80400    46.6           
5        121.639  (可変)                             
6        223.127    0.90   1.88300    40.8           
7          8.532    2.88                             
8        321.652    0.90   1.83481    42.7           
9         35.177    1.70                             
10        -20.286    0.80   1.83481    42.7           
11         69.172    0.15                             
12         27.272    2.51   1.94595    18.0           
13        -60.198  (可変)                             
14(絞り)    ∞     (可変)                             
15*        12.522    3.86   1.58313    59.4           
16*       -47.133    2.45                             
17         43.029    0.80   1.84666    23.8           
18         11.492    0.46                             
19         14.538    3.78   1.48749    70.2           
20        -18.246  (可変)                             
21        -23.746    1.51   1.84666    23.8           
22        -10.973    2.55   1.58313    59.4           
23*        47.410  (可変)                             
24         30.958    2.93   1.71300    53.9           
25        -11.279    0.80   1.94595    18.0           
26        -25.336  (可変)                             
27          ∞       1.94   1.51633    64.1           
28          ∞       1.98                            
像面        ∞   
非球面データ
第15面
K =-3.29676e-001  A 4=-2.61669e-005  A 6= 2.08299e-007  A 8= 3.81647e-010  
第16面
K = 0.00000e+000  A 4= 7.06333e-005  A 6= 1.12784e-007  
第23面
K = 0.00000e+000  A 4= 6.25383e-005  A 6=-1.53421e-007  
各種データ
ズーム比      9.57 
広角     中間     望遠
焦点距離       5.66    20.00    54.22  
Fナンバー      1.85     2.62     2.88  
半画角（度）  31.51     9.85     3.66  
像高           3.47     3.47     3.47  
レンズ全長    95.81 95.81 95.81 
BF             8.18     6.11     5.22
d 5            1.20    13.28    17.52  
d13           15.12     5.24     2.50  
d14           20.38    12.56     2.50  
d20            2.33     7.95    16.51  
d23            4.98     7.05     7.94  
d26            4.92     2.84 1.96 
ズームレンズ群データ
群  始面    焦点距離  
1    1      39.71  
2    6      -8.06  
3   14       ∞    
4   15      16.91  
5   21     -42.00  
6   24      25.64  
7   27       ∞    
【手続補正１０】
【補正対象書類名】明細書
【補正対象項目名】００８１
【補正方法】変更
【補正の内容】
【００８１】
数値実施例５
面データ
面番号       r        d      nd         νd
1         53.988    1.30   1.84666    23.8           
2         27.921    7.21   1.51633    64.1           
3       58650.511    0.15                             
4         26.274    4.10   1.80400    46.6           
5         92.993  (可変)                             
6        108.709    0.90   1.88300    40.8           
7          8.733    3.67                             
8       -255.028    0.90   1.83481    42.7           
9         31.082    2.03                             
10        -20.217    0.80   1.83481    42.7           
11        143.249    0.15                             
12         34.787    2.58   1.94595    18.0           
13        -47.845  (可変)                             
14(絞り)    ∞     (可変)                             
15*        13.587    3.86   1.58313    59.4           
16*      -130.486    2.58                             
17         30.426    0.83   1.84666    23.8           
18         11.592    0.37                             
19         13.977    3.46   1.48749    70.2           
20        -24.643  (可変)                             
21        -31.192    1.17   1.84666    23.8           
22        -13.690    0.70   1.58313    59.4           
23*        26.776  (可変)                             
24         24.699    3.26   1.71300    53.9           
25        -12.504    0.80   1.94595    18.0           
26        -25.293  (可変)                             
27          ∞       1.94   1.51633    64.1           
28          ∞       1.98                             
像面        ∞   
非球面データ
第15面
K = 2.12743e-001  A 4=-2.89364e-005  A 6= 3.60505e-008  A 8=-4.99977e-010  
第16面
K = 0.00000e+000  A 4= 5.19800e-005  A 6= 1.29888e-007  
第23面
K = 0.00000e+000  A 4= 4.81034e-005  A 6=-5.23267e-008  
各種データ
ズーム比     14.95 
広角     中間     望遠
焦点距離       5.01    20.71    74.89  
Fナンバー      1.85     3.29     3.80    
半画角（度）  34.72     9.52     2.65  
像高           3.47     3.47     3.47  
レンズ全長   108.30 108.30 108.30 
BF            10.27 5.39 5.26 
d 5            1.32    13.81    18.20  
d13           15.68     5.39     2.50  
d14           28.77    19.24     2.50  
d20            2.30     9.63    24.87  
d23            9.14    14.02    14.15  
d26            7.02     2.14     1.99 
ズームレンズ群データ
群  始面    焦点距離  
1    1      38.58  
2    6      -8.00  
3   14       ∞    
4   15      18.98  
5   21     -33.57  
6   24      21.54  
7   27       ∞    
【手続補正１１】
【補正対象書類名】明細書
【補正対象項目名】００８２
【補正方法】変更
【補正の内容】
【００８２】
数値実施例６
面データ
面番号       r        d      nd         νd
1         68.778    1.30   1.84666    23.8           
2         33.445    7.25   1.51633    64.1           
3        364.781    0.15                             
4         27.177    4.52   1.80400    46.6           
5         75.983  (可変)                             
6         40.721    0.90   1.88300    40.8           
7          7.468    4.19                             
8        -84.784    0.90   1.83481    42.7           
9         30.882    1.72                             
10        -21.404    0.80   1.83481    42.7           
11         47.855    0.15                             
12         25.992    2.44   1.94595    18.0           
13        -59.415  (可変)                             
14(絞り)    ∞     (可変)                             
15*        14.110    4.18   1.58313    59.4           
16*       -27.514    2.25                             
17         63.696    0.80   1.84666    23.8           
18         13.233    0.44                             
19         15.794    4.37   1.48749    70.2           
20        -14.870  (可変)                             
21        -25.983    1.10   1.84666    23.8           
22        -11.548    0.70   1.58313    59.4           
23*        13.430  (可変)                             
24         15.449    3.49   1.71300    53.9           
25        -10.281    0.80   1.94595    18.0           
26        -23.843  (可変)                             
27          ∞       1.94   1.51633    64.1           
28          ∞       1.97                             
像面        ∞   
非球面データ
第15面
K =-4.00925e-001  A 4=-3.30097e-005  A 6= 3.59850e-007  A 8=-3.12207e-010  
第16面
K = 0.00000e+000  A 4= 1.01427e-004  A 6= 2.01032e-007  
第23面
K = 0.00000e+000  A 4= 5.10380e-005  A 6=-3.13574e-007  
各種データ
ズーム比      9.58 
広角     中間     望遠
焦点距離       3.86    10.09    36.97  
Fナンバー      1.85     3.37     3.90    
半画角（度）  41.97    18.99     5.37  
像高           3.47     3.47     3.47  
レンズ全長   102.08 102.08 102.08 
BF             7.21     5.37     5.19
d 5            1.00    13.34    17.68  
d13           15.48     5.34     2.50  
d14           25.39    19.54     2.50  
d20            2.30     5.95    21.49  
d23            8.25    10.09    10.27  
d26            3.96     2.12     1.95 
ズームレンズ群データ
群  始面    焦点距離  
1    1      48.69  
2    6      -6.84  
3   14       ∞    
4   15      15.40  
5   21     -18.60  
6   24      16.35  
7   27       ∞  
【手続補正１２】
【補正対象書類名】明細書
【補正対象項目名】００８３
【補正方法】変更
【補正の内容】
【００８３】
数値実施例７
面データ
面番号       r        d      nd         νd
1         55.115    1.30   1.84666    23.8           
2         30.093    9.13   1.51633    64.1           
3        187.836    0.15                             
4         28.677    5.19   1.80400    46.6           
5         73.020  (可変)                             
6         36.407    0.90   1.88300    40.8           
7          7.304    4.91                             
8        -34.621    0.90   1.83481    42.7           
9         50.385    1.35                             
10        -29.980    0.80   1.83481    42.7           
11         45.916    0.15                             
12         25.186    2.55   1.94595    18.0           
13        -67.699  (可変)                             
14(絞り)    ∞     (可変)                             
15*        11.699    3.68   1.58313    59.4           
16*       -28.834    1.94                             
17         31.961    0.80   1.84666    23.8           
18         10.100    0.27                             
19         11.748    3.16   1.48749    70.2           
20        -15.931  (可変)                             
21        -17.523    1.12   1.84666    23.8           
22         -9.116    0.70   1.58313    59.4           
23*        10.415  (可変)                             
24         15.309    3.62   1.71300    53.9           
25         -8.585    0.80   1.94595    18.0           
26        -17.227  (可変)                             
27          ∞       1.94   1.51633    64.1           
28          ∞       1.98                             
像面        ∞   
非球面データ
第15面
K =-4.00338e-001  A 4=-3.45955e-005  A 6= 3.34057e-007  A 8= 1.48183e-009  
第16面
K = 0.00000e+000  A 4= 1.33183e-004  A 6= 5.38554e-008  
第23面
K = 0.00000e+000  A 4= 1.51739e-005  A 6=-6.25274e-007  
各種データ
ズーム比      9.59 
広角     中間     望遠
焦点距離       3.86    15.60    37.00  
Fナンバー      1.85     2.62     2.88  
半画角（度）  41.97    12.55     5.36  
像高           3.47     3.47     3.47  
レンズ全長    96.28 96.28 96.28 
BF             7.29 5.19     6.57
d 5            1.00    18.33    24.41  
d13           11.41     2.50     2.50  
d14           26.66    13.59     2.50  
d20            2.30     6.95    11.95  
d23            4.20     6.30     4.93  
d26            4.04     1.94     3.32 
ズームレンズ群データ
群  始面    焦点距離  
1    1      52.23  
2    6      -7.24  
3   14       ∞    
4   15      13.33  
5   21     -13.05  
6   24      14.06  
7   27       ∞    
【手続補正１３】
【補正対象書類名】明細書
【補正対象項目名】００８４
【補正方法】変更
【補正の内容】
【００８４】
数値実施例８
面データ
面番号       r        d      nd         νd
1         56.002    1.30   1.84666    23.8           
2         31.018   11.30   1.51633    64.1           
3        192.795    0.15                             
4         29.173    5.82   1.80400    46.6           
5         66.131  (可変)                             
6         35.011    0.90   1.88300    40.8           
7          7.446    4.83                             
8        -70.659    0.90   1.83481    42.7           
9         81.457    1.31                             
10        -26.953    0.80   1.83481    42.7           
11         25.058    0.15                             
12         19.421    2.53   1.94595    18.0           
13       -474.630  (可変)                             
14(絞り)    ∞     (可変)                             
15*        11.488    3.82   1.58313    59.4           
16*       -25.828    0.93                             
17         30.289    0.80   1.84666    23.8           
18         10.635    0.29                             
19         12.236    3.68   1.48749    70.2           
20        -13.369  (可変)                             
21        -16.699    1.16   1.84666    23.8           
22         -8.640    0.70   1.58313    59.4           
23*         9.165  (可変)                             
24         17.024    3.53   1.71300    53.9           
25         -7.025    0.80   1.94595    18.0           
26        -15.590  (可変)                             
27          ∞       1.94   1.51633    64.1           
28          ∞       1.97                             
像面        ∞   
非球面データ
第15面
K =-4.34835e-001  A 4=-5.15260e-005  A 6= 9.86032e-007  A 8= 7.72593e-010  
第16面
K = 0.00000e+000  A 4= 1.85355e-004  A 6= 7.28392e-007  
第23面
K = 0.00000e+000  A 4=-4.92787e-005  A 6=-2.53334e-006  
各種データ
ズーム比      9.70 
広角     中間     望遠
焦点距離       3.86    14.77    37.44  
Fナンバー      1.85     2.70     3.00   
半画角（度）  41.97    13.23     5.30  
像高           3.47     3.47     3.47  
レンズ全長    96.93 96.93 96.93 
BF             6.26     4.86 5.04
d 5            1.04    19.30    25.74  
d13           11.11     2.94     2.58  
d14           26.32    12.89     2.31  
d20            2.30     5.66    10.15  
d23            4.20     5.58     5.41  
d26            3.01     1.62 1.78 
ズームレンズ群データ
群  始面    焦点距離  
1    1      56.04  
2    6      -6.99  
3   14       ∞    
4   15      11.85  
5   21     -11.71  
6   24      14.98  
7   27       ∞
【手続補正１４】
【補正対象書類名】明細書
【補正対象項目名】００８５
【補正方法】変更
【補正の内容】
【００８５】
数値実施例９
面データ
面番号       r        d      nd         νd
1         93.362    1.30   1.94177    25.4           
2         41.935    6.88   1.72434    54.8           
3      -1192.784    0.15                             
4         37.154    5.40   1.69940    55.7           
5        117.418  (可変)                             
6        220.304    0.90   1.86931    35.4           
7         11.468    3.57                             
8       -239.892    2.20   1.73111    54.4           
9         34.189    2.94                             
10        -19.645    0.43   1.69887    55.8           
11        169.169    0.15                             
12         47.736    2.49   1.94589    18.0           
13        -52.727  (可変)                             
14(絞り)    ∞     (可変)                             
15*        16.200    3.99   1.49025    68.1           
16*      -113.188    7.76                             
17         20.460    0.80   1.85741    25.2           
18         11.085    0.98                             
19         12.408    5.48   1.49389    69.7           
20        -57.977  (可変)                             
21        -75.361    0.87   1.84666    23.8           
22        -36.967    1.00   1.58313    59.4           
23*        14.003  (可変)                             
24         16.706    4.35   1.69724    55.5           
25        -11.563    0.80   1.84666    23.8           
26        -23.506  (可変)                             
27          ∞       1.94   1.51633    64.1           
28          ∞       1.99                             
像面        ∞   
非球面データ
第15面
K = 6.57339e-002  A 4=-1.26997e-005  A 6= 5.76578e-009  A 8=-9.11044e-011  
第16面
K = 0.00000e+000  A 4= 2.31453e-005  A 6= 2.28131e-008  
第23面
K = 0.00000e+000  A 4= 4.67576e-005  A 6=-7.47059e-008  
各種データ
ズーム比     19.96 
広角     中間     望遠
焦点距離       5.01    27.84   100.01  
Fナンバー      1.85     3.07     3.50    
半画角（度）  34.72     7.11     1.99  
像高           3.47     3.47     3.47  
レンズ全長   132.88   132.88   132.88  
BF             9.83     5.33 6.54
d 5            1.73    22.36    29.61  
d13           30.27     9.64     2.38  
d14           29.76    18.47     2.50  
d20            4.65    15.95    31.92  
d23            4.20     8.69     7.49  
d26            6.55     2.07     3.27 
ズームレンズ群データ
群  始面    焦点距離  
1    1      54.07  
2    6      -9.79  
3   14       ∞    
4   15      24.02  
5   21     -21.72  
6   24      16.16  
7   27       ∞    
【手続補正１５】
【補正対象書類名】明細書
【補正対象項目名】００８６
【補正方法】変更
【補正の内容】
【００８６】
数値実施例１０
面データ
面番号       r        d      nd         νd
1         81.746    1.30   1.99449    25.9           
2         39.938    6.88   1.72201    54.9           
3        666.310    0.15                             
4         37.594    5.70   1.72849    54.7           
5        122.752  (可変)                             
6        109.949    0.90   1.81209    40.2           
7         11.262    4.13                             
8       -571.700    4.00   1.68226    56.4           
9         32.224    3.01                             
10        -20.124    0.43   1.70971    55.4           
11        130.050    0.15                             
12         46.000    2.43   1.94595    18.0           
13        -66.407  (可変)                             
14(絞り)    ∞     (可変)                             
15*        16.616    4.13   1.48749    70.4           
16*       -81.195    8.36                             
17         20.867    0.80   1.82118    24.8           
18         11.026    1.00                             
19         12.283    5.51   1.48749    70.4           
20        -58.839  (可変)                             
21        -58.485    0.87   1.84666    23.8           
22        -31.732    1.00   1.58313    59.4           
23*        13.983  (可変)                             
24         18.347    4.31   1.69680    55.5           
25        -12.215    0.80   1.84666    23.8           
26        -21.949  (可変)                             
27          ∞       1.94   1.51633    64.1           
28          ∞       1.99                             
像面        ∞   
非球面データ
第15面
K = 6.48279e-002  A 4=-1.28952e-005  A 6= 6.60944e-009  A 8=-7.46413e-011  
第16面
K = 0.00000e+000  A 4= 2.32717e-005  A 6= 2.26643e-008  
第23面
K = 0.00000e+000  A 4= 4.65118e-005  A 6= 3.72789e-008  
各種データ
ズーム比     19.97 
広角     中間     望遠
焦点距離       5.01    28.03   100.05  
Fナンバー      1.85     3.07     3.50    
半画角（度）  34.72     7.06     1.99  
像高           3.47     3.47     3.47  
レンズ全長   136.29 136.29 136.29 
BF            10.57 10.01 7.58 
d 5            1.11    22.49    30.00  
d13           31.34     9.96     2.45  
d14           29.66    15.55     2.50  
d20            3.55    17.66    30.71  
d23            4.20     4.76     7.19  
d26            7.30     7.12 4.30 
ズームレンズ群データ
群  始面    焦点距離  
1    1      56.07  
2    6      -9.82  
3   14       ∞    
4   15      23.96  
5   21     -20.72  
6   24      16.31  
7   27       ∞